(57)【要約】【課題】端末等の使用者を安全、且つ、簡単に認証することができる。【解決手段】認証制御装置１は、傾き検出機能によって検出された自装置の縦方向と、横方向と、奥行き方向とに対応する３軸のうち少なくとも何れかの軸を回転中心として該自装置が回転する際に、前記何れかの回転軸を中心とする右回り若しくは左回りの回転方向の組合せを表す回転方向情報３と、前記自装置が回転する際の前記何れかの回転方向の組み合わせが登録されている登録回転方向情報４とが一致した場合に、認証成功と判断することを特徴とする。【選択図】      図１
2014102682.tif 000002
【特許請求の範囲】
【請求項１】
傾き検出機能によって検出された自装置の縦方向と、横方向と、奥行き方向とに対応する３軸のうち少なくとも何れかの軸を回転中心として該自装置が回転する際に、前記何れかの回転軸を中心とする右回り若しくは左回りの回転方向の組合せを表す回転方向情報と、前記自装置が回転する際の前記何れかの回転方向の組み合わせが登録されている登録回転方向情報とが一致した場合に、認証成功と判断することを特徴とする認証制御装置。
【請求項２】
前記自装置の回転に伴って生成される前記回転方向情報と、前記登録回転方向情報とが不一致の場合に、不一致であることを認証結果として通知することを特徴とする請求項１に記載の認証制御装置。
【請求項３】
前記傾き検出機能によって生成される前記回転方向情報は、前記回転軸を中心に回転する際の回転角度を表す情報と、その回転する際の角速度を表す情報とを更に含み、
前記回転角度を判定する回転角度閾値と、前記角速度を判定する角速度閾値とを用いて、前記回転方向を判定することを特徴とする請求項１若しくは請求項２に記載の認証制御装置。
【請求項４】
前記回転方向情報を記録するセンサ情報記録部と、該センサ情報記録部に記録された前記回転方向情報を基に回転方向の組合せを表す認証情報へ変換する検出結果解析部と、変換された前記認証情報を前記登録回転方向情報である登録認証情報と比較した認証結果に基づいて前記認証を行う認証処理部と、を含み、
前記センサ情報記録部は、前記回転方向情報の記録を開始することを前記認証制御部に通知するユーザインタフェースが操作されるのに応じて、前記回転方向情報の記録を開始することを特徴とする請求項１乃至請求項３の何れか１項に記載の認証制御装置。
【請求項５】
前記検出結果解析部は、前記センサ情報記録部から送信された前記回転方向情報を基に、前記回転方向の組合せを表す前記認証情報に変換する際に、前記回転角度閾値と、前記角速度閾値とを用いて、所定の回転角度と所定の角速度とを有する回転操作における前記回転方向の組合せのみを前記認証情報とすることを特徴とする請求項３若しくは請求項４に記載の認証制御装置。
【請求項６】
前記登録認証情報は、登録認証開始情報と登録認証動作情報とを含み、前記認証情報は、認証開始情報と認証動作情報とを含み、
前記認証処理部は、前記認証を開始することを表す前記認証開始情報と該認証開始情報に対応する前記登録認証開始情報とを比較し、比較した結果、一致する場合に、本来の前記認証を行うことを表す前記認証動作情報と該認証動作情報に対応する前記登録認証動作情報とを比較することを特徴とする請求項４に記載の認証制御装置。
【請求項７】
前記回転操作に伴って、前記回転軸と、前記回転方向と、前記回転角度と、前記角速度の各情報を含む前記回転方向情報を取得する前記傾き検出機能は、ジャイロセンサであることを特徴とする請求項３に記載の認証制御装置。
【請求項８】
前記登録認証情報と、前記認証情報とが、一致、若しくは不一致の際に、それぞれ認証に成功、若しくは失敗したことを、自装置を所持する使用者がそれぞれ異なる体感によって認識することが可能な触力覚を生成する認証結果通知部を更に備えることを特徴とする請求項１若しくは請求項２に記載の認証制御装置。
【請求項９】
傾き検出手段によって検出された自装置の縦方向と、横方向と、奥行き方向とに対応する３軸のうち少なくとも何れかの軸を回転中心として該自装置が回転する際に、前記何れかの回転軸を中心とする右回り若しくは左回りの回転方向の組合せを表す回転方向情報と、前記自装置が回転する際の前記何れかの回転方向の組み合わせが登録されている登録回転方向情報とが一致した場合に、認証成功と判断することを特徴とする認証制御装置の制御方法。
【請求項１０】
傾き検出手段によって検出された自装置の回転方向の組合せを表す回転方向情報と、登録されている登録回転方向情報とを比較した結果に基づいて認証を行うコンピュータ・プログラムであって、そのコンピュータ・プログラムによって、
前記傾き検出手段によって検出された自装置の縦方向と、横方向と、奥行き方向とに対応する３軸のうち少なくとも何れかの軸を回転中心として該自装置が回転する際に、前記何れかの回転軸を中心とする右回り若しくは左回りの回転方向の組合せを表す回転方向情報と、前記自装置が回転する際の前記何れかの回転方向の組み合わせが登録されている登録回転方向情報とが一致した場合に、認証成功と判断する処理をコンピュータに実現させるコンピュータ・プログラム。
【発明の詳細な説明】
【技術分野】
【０００１】
本発明は、例えば、情報処理端末等における使用者の認証技術に関する。
【背景技術】
【０００２】
情報処理端末である例えばスマートフォン等の端末は、通信インフラであるモバイル通信ネットワーク技術と共に進展し、今後も多くの人々が仕事やプライベート等において利用する場面が増えると考えられる。
【０００３】
それと共に、例えばスマートフォン端末の使用者は、当該スマートフォン端末を紛失した際の情報漏洩や、外出先等での第三者による覗き見等のセキュリティに関する問題が生じないように気を配る必要がある。
【０００４】
一方で、スマートフォン端末等の携帯情報処理端末は、使用者にとっての利便性から、使用者が係る携帯情報処理端末を、例えば、かばんやポケット等から取り出して直ちに使えるように、比較的手軽に解除することが可能な本人認証方法を初期設定として採用している場合がある。
【０００５】
つまり、これらの携帯情報処理端末には、安全性と利便性とを考慮した認証方法が求められる。
【０００６】
ここで、特許文献１が記載する技術は、携帯電話の所有者が腕を振る行動に応じた加速度等の時系列データを基にした認証データを当該携帯電話に登録しておき、所有者本人の腕振り行動のデータとの類似度を求め、求めた類似度から本人認証をすることを開示する。
【０００７】
また、特許文献２が記載する技術は、加速度センサを備える携帯電話を動かした際の移動パターンを個人認証情報として認証し、携帯電話の操作を一時的にロックするロック機能を設定、若しくは解除することを開示する。
【０００８】
また、特許文献３が記載する技術は、携帯電話を所有する所有者が行動する際の加速度情報を基に登録された基準行動パターンと、所有者が行動する際の加速度情報とを比較して、所有者の行動パターンを識別し、例えば携帯電話が鳴動することを抑止すると共に発信者の着信者の状況を録音音声等で知らせる機能であるマナーモードやドライブモード等が設定されている際に、当該モードに対応しない別の行動パターンを所定期間よりも長く継続した場合に、当該モード設定を解除することを開示する。
【先行技術文献】
【特許文献】
【０００９】
【特許文献１】特開２００７−１９３６５６号公報
【特許文献２】特開２００７−１１６３１８号公報
【特許文献３】特開２００３−４６６３０号公報
【発明の概要】
【発明が解決しようとする課題】
【００１０】
一般的な携帯電話端末や携帯情報処理端末（以降、「情報処理端末」若しくは「携帯情報端末」と称する場合がある）は、例えばパスワード等を入力する際の暗証コード入力や、表示部と入力部とを兼ねて備えるタッチパネル等に対して指先やペン等による描画動作であるジェスチャ操作や、使用者の生体情報である指紋パターン、或いは顔認証等の手段で本人認証を行う。
【００１１】
しかしながら、上述した認証方法においては、それぞれ以下のような課題がある。
【００１２】
暗証コード入力やジェスチャ操作は、例えば他人に覗き見をされると、暗証コードやジェスチャを容易に特定され、覚えられるという課題がある。
【００１３】
また、暗証コードやジェスチャは、例えばタッチパネルの表示画面の表面に証跡（つまり、認証をする際の痕跡）が残る場合があり、他人は、当該証跡を基に類推して試行することにより、予め登録されている暗証コードやジェスチャと合致させる可能性がある。
【００１４】
また、指紋パターンについては、使用者の指先の腹部分の乾燥や汗等による影響で、指紋パターンを正しく、且つ、容易に読取ることができない場合があり、その場合に当該使用者は、指紋の読み取りを試行することにより当該情報処理端末を直ぐには使用できない可能性がある。
【００１５】
また、顔認証については、写真等の画像を例えば情報処理端末が有するカメラに向って提示することで、比較的容易になりすましをすることができるという課題がある。また、顔認証は、当該情報処理端末が有するカメラに向う使用者の顔の向きや、周囲の照明環境によっては、認識し難いという課題もある。
【００１６】
また、例えば、タッチパネル等を用いるスマートフォン等の携帯情報端末では、使用者は、必ずタッチパネルにおける表示画面を見ながら画面に表示された入力部（ボタン等）を操作することから、使用者が当該携帯情報端末の画面に視線を向けて操作をしている間に、周囲の人によってその操作を覗き見される可能性があるという課題がある。
【００１７】
ここで、特許文献１や特許文献２が記載する技術は、使用者が携帯電話を手に持って、腕を振ったり、予め決めた移動パターンを描く際に、ある程度の大きさの空間において、当該携帯電話に搭載されている加速度センサ等が認識するように、携帯電話を振ったり、移動したりする必要がある。そのため、周囲の人（他人）は、その使用者が当該携帯電話を動かす動作を見た場合、その移動パターンを覚えてしまう可能性がある。
【００１８】
また、例えば周囲の人は、その使用者が携帯電話を認証するために動かす動作を目視した場合に、その動作を必ずしも自然な所作とは感じないという問題がある。そのため、使用者は、周囲の人に見られないように当該携帯電話を動かすことができる場所を選ぶ必要があり、例えば、当該携帯電話の使用者が会議中や、公共の場所等に居る場合には不便である。
【００１９】
尚、特許文献３は、例えば、歩く、座る、立つ、乗り物に搭乗する等の現在の行動をモニタリングすることにより、着信等の通知を抑止する設定を自動的に解除し、応答できないことによる機会損失を防止することを目的としており、本願とは目的、作用が異なる。
【００２０】
また、特許文献１や特許文献２は、携帯電話の使用者が、周囲の人が単に覗き見しただけでは気付かないように、予め決めた認証を行う際の開始条件を入力（操作）することで、周囲の人が当該携帯電話を使ってなりすましをすることを、より難くすることについてまでは言及していない。
【００２１】
また、特許文献１や特許文献２は、使用者が周囲の人に悟られ難いように、認証を行う際に、使用者が携行する例えば、かばんや、使用者自身の着衣におけるポケットの中等において認証が可能であるとまでは言及していない。
【００２２】
また、特許文献１や特許文献２を含む関連する技術は、使用者が対象携帯情報端末を動かす際に、予め登録されている特定の移動パターンである個人認証情報と不一致である場合に、使用者に対して、ロック機能を設定、若しくは解除（認証）するのに失敗したことを、例えば当該携帯情報端末が有する表示画面の表示や、それ以外の方法、若しくはこれらを組み合わせた方法で通知することについてまでは言及していない。
【００２３】
また、特許文献１や特許文献２は、携帯電話等を使用する使用者が、当該携帯電話等の表示画面を凝視することなく、視線を周囲に向けたまま認証する操作を行うことにより、周囲の人から気付かれずに認証を行ったり、周囲の人からの覗き見を牽制することができることについては言及していない。
【００２４】
即ち、本発明の主たる目的は、上述した課題を解決するために、端末等の使用者を安全、且つ、簡単に認証する認証制御装置等を提供することである。
【課題を解決するための手段】
【００２５】
本発明は、上述した課題の解決を目的としてなされた。
【００２６】
即ち、本発明に係る認証制御装置は、
傾き検出機能によって検出された自装置の縦方向と、横方向と、奥行き方向とに対応する３軸のうち少なくとも何れかの軸を回転中心として該自装置が回転する際に、前記何れかの回転軸を中心とする右回り若しくは左回りの回転方向の組合せを表す回転方向情報と、前記自装置が回転する際の前記何れかの回転方向の組み合わせが登録されている登録回転方向情報とが一致した場合に、認証成功と判断することを特徴とする。
【００２７】
また、本発明の他の見地として、本発明に係る認証制御装置の制御方法は、
傾き検出手段によって検出された自装置の縦方向と、横方向と、奥行き方向とに対応する３軸のうち少なくとも何れかの軸を回転中心として該自装置が回転する際に、前記何れかの回転軸を中心とする右回り若しくは左回りの回転方向の組合せを表す回転方向情報と、前記自装置が回転する際の前記何れかの回転方向の組み合わせが登録されている登録回転方向情報とが一致した場合に、認証成功と判断することを特徴とする。
【００２８】
尚、同目的は、上記構成を有する上述した認証制御装置及びその制御方法をコンピュータによって実現するコンピュータ・プログラム、及びそのコンピュータ・プログラムが格納されている、コンピュータ読取り可能な記憶媒体によっても達成される。
【発明の効果】
【００２９】
本発明によれば、端末等の使用者を安全、且つ、簡単に認証することができる。
【図面の簡単な説明】
【００３０】
【図１】本発明の第１の実施形態に係る認証制御装置における機能を概念的に表すブロック図である。
【図２】本発明の第１の実施形態に係る認証制御装置における認証処理を表すフローチャートである。
【図３】本発明の第２の実施形態に係る携帯情報端末における認証制御機能を例示するブロック図である。
【図４】本発明の第２の実施施形態に係る携帯情報端末における認証動作を説明するシーケンス図である。
【図５】本発明の第２の実施形態に係る携帯情報端末による認証動作に必要な、使用者による回転操作を説明する図である。
【図６】本発明の第２の実施形態に係る携帯情報端末の認証動作に求められる回転操作の空間的範囲を例示する図である。
【図７】本発明の第２の実施形態に係る携帯情報端末において、使用者を認証する際の登録認証開始情報と登録認証動作情報との関係を概念的に例示する図である。
【図８】本発明の第３の実施形態に係る認証制御機能を実現する認証制御処理を行うプログラムが動作する情報処理装置の構成を例示する図である。
【発明を実施するための形態】
【００３１】
以下、本発明を実施する形態について図面を参照して詳細に説明する。
【００３２】
＜第１の実施形態＞
本発明の第１の実施形態の構成について説明する。図１は、本実施形態に係る認証制御装置１における機能を概念的に表すブロック図である。
【００３３】
本実施形態に係る認証制御装置１は、傾き検出機能によって検出された自装置の縦方向と、横方向と、奥行き方向に対応する３軸のうち少なくとも何れかの軸を回転中心として該自装置が回転する際に、前記何れかの回転軸を中心とする右回り若しくは左回りの回転方向の組合せを表す回転方向情報３と、前記自装置が回転する際の前記何れかの回転方向の組み合わせが登録されている登録回転方向情報４とが一致した場合に、認証成功と判断する。
【００３４】
ここで、認証制御装置１は、傾き検出機能からの回転方向情報３に基づいて自装置が回転する際の回転方向に関する情報を取得する。また、認証制御装置１は、取得した回転方向情報３と、回転方向の組み合わせが予め登録されている登録回転方向情報４と比較する。
【００３５】
また、回転軸とは、認証制御装置１において、例えば操作面に正対する使用者（図１において不図示。以下同様）が、認証制御装置１を回転させる操作を行う際に、認証制御装置１における例えば奥行き方向と、横方向と、縦方向とを、Ｘ軸と、Ｙ軸と、Ｚ軸とから成る３軸の３次元空間にそれぞれ順に対応付け（割り付け）、その３軸のうちの少なくとも何れか１つの軸を中心として、当該認証制御装置１が回転する際の回転軸である。
【００３６】
尚、認証制御装置１における奥行き方向と、横方向と、縦方向とを、Ｘ軸と、Ｙ軸と、Ｚ軸の３軸に対応付ける上述したような方法は一例である。
【００３７】
また、自装置を回転させる際の軸は何れの軸でもよく、各回転軸における回転方向は、何れの方向でもよく、これらの回転方向を任意に組み合わせることができる。
【００３８】
そして、回転方向とは、これらの軸を回転中心として認証制御装置１が回転する際の回転方向である。
【００３９】
また、使用者が回転操作する際の回転角は、所定の回転角以上であればその回転させた方向を回転方向とする。従って、回転角は、絶対角度、若しくは相対角度を基にすることができる。しかし、本実施形態における認証制御装置１は、説明の都合上、一例として相対角度を基にして回転角度を認識するものとして説明する。
【００４０】
つまり、使用者は、認証制御装置１を回転させる際に、使用者が認証制御装置１を保持する姿勢を基点として、そこからどの回転軸を中心にどちらの回転方向に、所定の回転角以上回転したかの操作を組み合わせることによって、使用者自身を、当該認証制御装置１を含む例えば携帯情報端末等において認証することができる。
【００４１】
また、認証結果通知５は、認証制御部２において、登録回転方向情報４と、回転方向情報３とが一致した場合に、認証が成功した旨の認証結果を表す。ここで、登録回転方向情報４とは、上述した何れかの回転軸を中心に回転する回転方向の組み合わせを表す情報であって、例えば本実施形態では、外部の記憶装置（図１には不図示）に登録されているとする。回転方向情報３とは、認証制御装置１が回転する回転方向の組み合わせに関する情報である。
【００４２】
尚、認証結果通知５は、登録回転方向情報４と、回転方向情報３とが不一致である場合に、認証が失敗した旨の認証結果を表すようにしてもよい。
【００４３】
次に、本実施形態における認証制御装置１の動作について、フローチャートを用いて更に説明する。図２は、第１の実施形態に係る認証制御装置１における認証処理を表すフローチャートである。
【００４４】
認証制御部２は、回転方向情報３を取得する（ステップＳ２１）。
【００４５】
認証制御部２は、取得した回転方向情報３に含まれる情報であって、何れかの回転軸を中心に回転する回転方向の組み合わせが、登録回転方向情報４に登録された回転方向の組合せと一致するか否かを確認する（ステップＳ２２）。
【００４６】
認証制御部２は、取得した回転方向情報３と、登録回転方向情報４とが一致する場合（ステップＳ２２にてＹＥＳ）は、一致する旨の認証結果通知５を出力する（ステップＳ２３）。
【００４７】
認証制御部２は、ステップＳ２１にて取得した回転方向情報３と、登録回転方向情報４とが不一致である場合（ステップＳ２２にてＮＯ）は、不一致である旨の認証結果通知５を出力する（ステップＳ２４）。
【００４８】
つまり、本実施形態に係る認証制御装置１は、本認証制御装置１の使用者を認証する際に、安全、且つ、簡単に認証することができる。
【００４９】
その理由は、本認証制御装置１の使用者は、使用者自身を認証する際に、移動量が少ない回転操作、或いはその組み合わせによって本人認証することができるので、周囲の人に気付かれ難く、且つ、認証に成功、若しくは失敗した旨の認証結果通知を受け取ることができるからである。
【００５０】
以上、本発明の第１の実施形態として、上述した構成および動作を例に説明したが、係る本実施形態を例として説明した本発明は、必ずしも係る構成や動作には限定されない。
【００５１】
＜第２の実施形態＞
次に、第１の実施形態を基本とする第２の実施形態について図３乃至図７を参照して説明する。尚、本発明の以下の説明では、装置および動作の説明の便宜から、図中（図５及び図６）に３次元の座標（Ｘ−Ｙ−Ｚ座標）記号を用いることとする。
【００５２】
本発明の第２の実施形態の構成について説明する。図３は、本実施形態に係る携帯情報端末１００における認証制御機能を概念的に表すブロック図である。
【００５３】
本実施形態に係る携帯情報端末１００は、携帯電話端末に認証制御機能を適用した例である。しかし、携帯情報端末１００は、携帯電話端末に限定されずに、携帯情報処理端末の他、携帯音楽プレーヤー（再生端末）等も含む。
【００５４】
携帯情報端末１００は、ボタン１０１と、ジャイロセンサ１０２と、センサ情報記録部１０３と、検出結果解析部１０４と、認証処理部１０５と、画面表示部１０６と、認証情報データベース１０７と、認証結果通知部１０８とを含む。
【００５５】
ここで、本実施形態における認証情報データベース１０７は、第１の実施形態における登録回転方向情報４に対応する。また、本実施形態におけるボタン１０１と、ジャイロセンサ１０２と、センサ情報記録部１０３と、検出結果解析部１０４と、認証処理部１０５と、画面表示部１０６と、認証結果通知部１０８とは、第１の実施形態における認証制御部２に対応する。
【００５６】
また、本実施形態における認証結果通知部１０８が出力する通知情報は、第１の実施形態における認証結果通知５に対応する。
【００５７】
また、本実施形態は、使用者２００が自身を携帯情報端末１００において認証する際に、携帯情報端末１００を回転させる際に生ずる回転方向情報３を基にした認証情報（後述）を認証情報データベース１０７に予め登録認証情報（後述）として登録する点と、使用者２００が回転方向情報３を入力する際の契機としてボタン１０１を用いる点と、携帯情報端末１００が回転方向情報３を基にした認証情報を認証した結果（成功、若しくは失敗）を、使用者２００に知らせる認証結果通知部１０８を用いる点が、第１の実施形態と主に相違する。
【００５８】
ここで、回転方向情報３は、携帯情報端末１００が回転する際の、何れかの回転軸を回転中心として回転する回転方向や、その回転角度や、その際の角速度等の情報であり、これらの組みが回転操作の組み合わせに応じて例えばジャイロセンサ１０２から順次出力される。
【００５９】
ここで、回転軸について図５を用いて説明する。図５は、本実施形態に係る携帯情報端末１００において、使用者２００を認証する際の回転操作を行う方向を説明する図である。
【００６０】
図５に示すように、携帯情報端末１００における回転軸は、携帯情報端末１００における規定の表示操作面に使用者２００が正立して正対した場合に、当該携帯情報端末１００における、例えば重心を原点として上下を表す軸をＺ軸、左右を表す軸をＹ軸、そして、前後を表す軸をＸ軸と称することとする。尚、携帯情報端末１００における３軸の原点の決め方は上述した方法に限らない。
【００６１】
また、回転操作について同じく図５を用いて説明する。Ｚ軸は、使用者２００から見て正対する携帯情報端末１００における上下方向を表し、Ｚ軸の上方向を＋（プラス）Ｚ軸方向、下方向を−（マイナス）Ｚ軸方向としてそれぞれ携帯情報端末１００に対応させる。
【００６２】
そして、正対する使用者２００から見たＺ軸を中心軸として使用者２００が携帯情報端末１００を回転させる方向は、−Ｚ軸方向から＋Ｚ軸方向を見てＺ軸に反時計回りに回転させる回転操作を「右水平」方向と称し、同じくＺ軸に時計回りに回転させる回転操作を「左水平」方向と称することとする。
【００６３】
同様に、Ｙ軸は、使用者２００から見て正対する携帯情報端末１００における左右（横）方向を表し、Ｙ軸の右方向を＋Ｙ軸方向、左方向を−Ｙ軸方向としてそれぞれ携帯情報端末１００に対応させる。
【００６４】
そして、正対する使用者２００から見たＹ軸を中心軸として携帯情報端末１００を回転させる方向は、−Ｙ軸方向から＋Ｙ軸方向を見てＹ軸に反時計回りに回転させる回転操作を「上」方向と称し、同じくＹ軸に時計回りに回転させる回転操作を「下」方向と称することとする。
【００６５】
また、Ｘ軸は、使用者２００から見て正対する携帯情報端末１００における前後方向を表し、正対する使用者２００から反対（奥行きを表す後ろ）方向を＋Ｘ軸方向、使用者２００の手前方向を−Ｘ軸方向としてそれぞれ携帯情報端末１００に対応させる。
【００６６】
そして、正対する使用者２００から見たＸ軸を中心軸として携帯情報端末１００を回転させる方向は、−Ｘ軸方向から＋Ｘ軸方向を見てＸ軸に時計回りに回転させる回転操作を「右」方向と称し、同じくＸ軸に反時計回りに回転させる回転操作を「左」方向と称することとする。
【００６７】
尚、図５に示すように使用者２００が、初期に携帯情報端末１００と正対する際の向きは、「正面水平」と称することとする。
【００６８】
また、認証情報は、上述した回転操作に伴ってジャイロセンサ１０２から出力される回転方向や、回転角度や、角速度等の回転方向情報３を基に、後述する検出結果解析部１０４において判定し、回転方向を組み合わせた情報に変換した情報である。
【００６９】
また、本実施形態において、携帯情報端末１００への使用者２００の認証に用いられる上述した認証情報は、更に時系列で認証開始情報と認証動作情報とから成り、それぞれが回転方向の組み合わせ情報を含む。
【００７０】
つまり、認証開始情報は、認証を開始することを表す情報であり、認証動作情報は、その認証開始情報が正しい場合に、認証開始情報の後に続いて回転操作することができ、その認証動作情報を入力する回転操作により認証をすることが可能な情報である。
【００７１】
次に、ボタン１０１は、本携帯情報端末１００を使用する使用者２００が押下することが可能な操作ボタンであり、認証情報を入力する際の契機となる。つまり、使用者２００は、ボタン１０１を押下した後、携帯情報端末１００を回転操作することにより、認証開始情報や、その認証開始情報に続く認証動作情報を回転操作により入力することが可能である。
【００７２】
また、ボタン１０１は、認証情報データベース１０７に、登録回転方向情報４（登録認証情報）を登録する際の契機として用いることも可能である。
【００７３】
尚、ボタン１０１は、ハードウェア（Ｈａｒｄｗｅａｒ：以下、「ＨＷ」と略称する）ボタンであってもよいし、ソフトウェア（Ｓｏｆｔｗｅａｒ：以下、「ＳＷ」と略称する）ボタンであってもよく、それ以外の回転操作を入力する際の契機となるユーザインタフェース（ＵＩ）であってもよい。
【００７４】
また、ＳＷボタンは、携帯情報端末１００における画面表示部１０６において、例えばタッチパネルの画面にボタンを表示し、表示されたボタンをタッチすることにより入力することが可能な入力ボタンである。
【００７５】
次に、傾き検出機能の一例であるジャイロセンサ１０２は、使用者２００が携帯情報端末１００を回転操作する際に、Ｚ軸、Ｙ軸、Ｘ軸（図５及び図６参照）を回転中心として回転する同端末の、相対的な回転角度を表す度数を数値として出力する。
【００７６】
ここで、本実施形態において回転角度を表す基準は、例えば、使用者２００が携帯情報端末１００を回転する操作を開始する際に、ボタン１０１を押下した時点における携帯情報端末１００が有する姿勢を基準として、当該携帯情報端末１００に対応付けられた係る３軸が表す角度をそれぞれの軸に対して０度とする。
【００７７】
次に、センサ情報記録部１０３は、使用者２００が携帯情報端末１００におけるボタン１０１を押下した後に、使用者２００が携帯情報端末１００を回転操作する操作内容に伴ってジャイロセンサ１０２から出力される回転方向情報３の値を検出し、検出された回転方向情報３を記録する。
【００７８】
また、センサ情報記録部１０３に記録される情報は、認証を開始することを表す上述した認証開始情報（回転方向）の元となる回転方向情報３（回転方向、回転角度、角速度）に続いて、認証動作を表す上述した認証動作情報（回転方向）の元となる回転方向情報３（回転方向、回転角度、角速度）の順で記録されるものとする。
【００７９】
また、センサ情報記録部１０３は、記録した回転方向情報３の値を検出結果解析部１０４に送信する。
【００８０】
検出結果解析部１０４は、センサ情報記録部１０３から受信した回転方向情報３（回転方向、回転角度、角速度）を基に認証情報（回転方向）へ変換する。
【００８１】
尚、センサ情報記録部１０３は、記録した回転方向情報３の値を検出結果解析部１０４に送信した後は、センサ情報記録部１０３において当該記録した回転方向情報３を破棄する。
【００８２】
そして、認証情報データベース１０７は、使用者２００が本人か否かを確認するために、変換された認証情報と比較する登録認証情報を予め登録する。
【００８３】
より具体的には、認証情報データベース１０７に登録された登録認証情報は、後述する登録認証開始情報と登録認証動作情報とが対応付けられた情報を含む。
【００８４】
つまり使用者２００が、携帯情報端末１００を回転操作することにより入力した回転方向情報３を基に、回転方向に変換された認証情報に含まれる認証開始情報と認証動作情報とは、登録認証情報に含まれる登録認証開始情報と登録認証動作情報との間で、それぞれ順に比較される。
【００８５】
尚、登録認証情報を認証情報データベース１０７に登録する際のモードは、回転モードと、設定モードとがある。
【００８６】
回転モードは、使用者２００が実際に携帯情報端末１００を回転操作して、所望の登録認証開始情報と登録認証動作情報とを認証情報データベース１０７に登録するモードである。
【００８７】
その際の登録方法は、使用者２００が、例えばボタン１０１を押下することにより、センサ情報記録部１０３を用いて登録認証開始情報の登録から開始することができる。
【００８８】
また、登録認証開始情報の登録が成功した際には、例えば画面表示部１０６に登録に成功した旨の表示をするようにすればよい。続いて、使用者２００は、登録認証動作情報の登録を同様の操作により登録する。
【００８９】
また、設定モードは、認証処理部１０５と画面表示部１０６とを用いて、直接、登録認証開始情報と登録認証動作情報の順にそれぞれ対応する所望の回転方向の組み合わせを認証情報データベース１０７に登録する。
【００９０】
また、携帯情報端末１００は、登録された登録認証情報を用いて実際に正しく認証できるかどうかを事前に確認する試行モードを有するようにしてもよい。その際に、使用者２００は、携帯情報端末１００を試行モードに設定し、例えばボタン１０１を押下して、当該携帯情報端末を回転操作することにより、登録したとおりに正しく認証されるか否かを事前に確認することができる。
【００９１】
そして、検出結果解析部１０４は、センサ情報記録部１０３から受信した回転方向情報３が有する組になった回転方向と、回転角度と、角速度の情報を基に、図５に示す、Ｚ軸を回転中心とする右水平方向若しくは左水平方向への回転と、Ｙ軸を回転中心とした上方向若しくは下方向への回転と、Ｘ軸を回転中心とした右方向若しくは左方向への回転の何れかの回転を表す認証情報へと変換する。
【００９２】
また、検出結果解析部１０４は、一つの回転方向情報３を受信する毎に逐次、認証情報へ変換してもよく、複数の回転方向情報をまとめて受信し、受信した回転方向情報３の順に認証情報へ順次変換してもよい。
【００９３】
また、検出結果解析部１０４において、回転角度と、角速度とを基に、回転方向情報３から回転方向を確定し、認証情報へと変換する方法は、後述する。
【００９４】
そして、検出結果解析部１０４は、変換された認証情報を認証処理部１０５に送信する。
【００９５】
ここで、上述したセンサ情報記録部１０３と、検出結果解析部１０４とは、図４を参照して後述する一連の処理、つまり、センサ情報記録部１０３による操作内容の記録と送信及び、検出結果解析部１０４による認証情報への変換と送信を、認証情報を構成する情報である認証開始を表す認証開始情報と本来の認証を行うことを表す認証動作情報とにおいて順に繰り返す。
【００９６】
また、認証処理部１０５は、検出結果解析部１０４から受信した認証情報に含まれる認証開始情報と認証動作情報とを、認証情報データベース１０７に予め登録されている登録認証開始情報と登録認証動作情報と、それぞれ順に比較する。
【００９７】
その際に、認証処理部１０５は、前回の認証開始情報が、認証情報データベース１０７に登録された登録認証開始情報と一致することを確認すれば、それ以降の情報である認証動作情報の範囲を特定することができる。
【００９８】
尚、認証動作情報の範囲を特定する方法は、本実施形態において上述した方法には限定されず、例えばセンサ情報記録部１０３に回転操作を記録する際に、認証開始情報となる回転方向情報の後に所定の無操作期間を設けることや、認証開始情報となる回転方向情報を入力している間、何れかのボタンを押下する等の方法をとることも可能である。
【００９９】
また、認証処理部１０５は、前回の認証開始情報が、認証情報データベース１０７に登録された登録認証開始情報と不一致であれば、次回の認証動作情報の範囲を特定することを中止し、認証を開始可能な最初の状態に戻すものとする。
【０１００】
次に、認証処理部１０５は、前回の認証開始情報が登録認証開始情報と一致すれば、今回の認証動作情報と、認証情報データベース１０７に予め登録しておいた登録認証動作情報とを比較し、認証動作情報が登録認証動作情報と一致するか、若しくは不一致であるかに応じて、認証に成功したか、若しくは失敗したかをそれぞれ判定する。
【０１０１】
また、携帯情報端末１００が認証に成功した際に、画面表示部１０６は、使用者２００に認証後の画面を表示する。尚、携帯情報端末１００が認証に失敗した際に、画面表示部１０６は、認証に失敗したことを画面に表示するようにしてもよい。
【０１０２】
しかしながら、使用者２００は、携帯情報端末１００を回転する操作をする際に、認証開始情報と認証動作情報に関する回転操作をそれぞれ行う度に画面を参照しなくとも、認証開始情報と登録認証開始情報、認証動作情報と登録認証動作情報とが順に一致する度に、後述する触力覚の提示を受けることで、単なる振動よりも明確に認証されたことを認識することができる。
【０１０３】
ここで触力覚とは、単なる振動とは異なり、使用者２００の知覚や錯覚を利用した擬似的な感触を使用者２００に提示することであり、例えば使用者２００が、触れている携帯情報端末１００が、認証に成功したか失敗したかをより明確に識別できるように意図された力覚パターンを伝えることである。
【０１０４】
より具体的には、例えば、携帯情報端末１００を、使用者２００が携行するかばんや、使用者２００自身の着衣のポケット等の身近な場所に所持していれば、その場所において回転操作を行い、当該携帯情報端末１００の画面表示部１０６を目視しなくても、使用者２００は、提示される触力覚を体感することにより、携帯情報端末１００による当該使用者の認証に成功したか失敗したかを明確に認識することが可能である。
【０１０５】
また、使用者２００は、認証開始情報と登録認証開始情報、若しくは認証動作情報と登録認証動作情報とが不一致である場合に、一致した際に提示するのとは別の触力覚の提示を受けることで、不一致であることを明確に認識することができる。
【０１０６】
これにより、使用者２００は、画面表示部１０６を見ずとも、一致した場合は、当該携帯情報端末の認証が完了したことや、不一致である場合は、例えばボタン１０１を再度押下してから、認証情報（認証開始情報、若しくは認証動作情報）を入力し直すために当該携帯情報端末１００において回転操作を再試行することができる。
【０１０７】
携帯情報端末１００は、図３に示す認証結果通知部１０８において、上述した触力覚を用いて使用者２００へ、認証に成功したか、若しくは失敗したかを通知（提示）することができる。その場合、認証結果通知部１０８は、触力覚を生成する図示していないアクチュエータ（駆動デバイス）を搭載するようにすればよい。
【０１０８】
また、触力覚を生成するアクチュエータは、例えば圧電素子等の電圧の変化を振動の変化に変換することにより例えば携帯情報端末１００の筐体や画面を含む部材を振動させることが可能な素子を採用することができる。
【０１０９】
また、アクチュエータを駆動する際の駆動パターンは、例えば、擬似的な感触を生じさせるようにプログラムされた力覚パターンを用いればよい。
【０１１０】
ここで、一例として、認証に成功した際に提示する触力覚は、例えば０．５秒程度の期間、１回提示する。また、認証に失敗した際に提示する触力覚は、例えば、０．３秒程度の期間、０．３秒程度の間隔で、２回提示する。
【０１１１】
尚、説明のために一例として触力覚を生成する際の期間や、時間間隔や、回数を記載したが、力覚パターンの種類や、強度等も含めてこれには限定されない。
【０１１２】
また、認証結果通知部１０８は、触力覚を用いた通知方法の他に、音声を含む音や、光や、単なる振動等の今では一般的な通知方法と組み合わせて使用者２００に通知するようにしてもよい。
【０１１３】
次に、使用者２００が、本実施形態に係る携帯情報端末１００を回転させる操作について図５を用いて説明する。
【０１１４】
図５は、第２の実施形態に係る携帯情報端末１００による認証動作に必要な、使用者による回転操作を説明する図である。
【０１１５】
上述したように、使用者２００が携帯情報端末１００を回転させることが可能な回転操作は、当該携帯情報端末１００における、例えば既定の操作面に使用者２００が正対した際に、携帯情報端末１００における縦方向、横方向、奥行き方向に対応するＺ軸、Ｙ軸、Ｘ軸から成る３つの軸を回転中心にして回転する左右２つの回転方向から成り、即ち、それぞれ順に右水平と左水平、上と下、左と右の合計６つの回転操作で定義される。
【０１１６】
そして、携帯情報端末１００におけるセンサ情報記録部１０３は、図６に示すように、携帯情報端末１００における、例えば重心を３軸の原点として、それぞれの軸における回転操作の範囲を、９０度単位で区切った仮想的な区画とし、その個々の区画の中で、所定の回転角度より大きい回転角度で回転させた際に一つの回転操作として認識する。
【０１１７】
図６は、第２の実施形態に係る携帯情報端末１００の認証動作に求められる回転操作の空間的範囲を例示する図である。
【０１１８】
そして、検出結果解析部１０４は、センサ情報記録部１０３において記録された回転方向情報を、認証情報に変換する際に、上述した仮想的な区画内における回転として認識する回転角度として、例えば以下の３種類の閾値を有する。
【０１１９】
即ち、回転角度が大きい順に、「大」を１５度、「中」を１０度、「小」を５度等、３段階に切替えられるようにして設定することが可能である。
【０１２０】
検出結果解析部１０４は、この閾値に基づいて、回転方向毎の回転角度を認証情報に変換し、変換された認証情報を認証処理部１０５へ送信する。
【０１２１】
具体的には、携帯情報端末１００を回転する際の回転角度の閾値が例えば１０度（つまり、回転角度の設定が「中」）に設定している場合、使用者２００は、例えば＋Ｘ軸方向に向かって左に１０度回転させると、当該Ｘ軸において「左」という認証情報に変換する。
【０１２２】
更に、検出結果解析部１０４は、上述した回転角度に加えて、センサ情報記録部１０３において記録された回転方向情報を、認証情報に変換（確定）する際に、角速度として、例えば３種類の閾値を有する。
【０１２３】
即ち、角速度が小さい順に、「遅」を１０ｒａｄ／ｓ（ラジアン毎秒）、「中」を２０ｒａｄ／ｓ、「早」を３０ｒａｄ／ｓ等、３段階に切替えられるようにして設定することが可能である。
【０１２４】
検出結果解析部１０４は、この角速度の閾値に基づいて、上述した回転方向における回転角度の閾値（例えば、「中」：１０度）を超える回転角度を示す回転操作において、その角速度が上述した角速度の閾値を越えれば、当該回転方向を確定させることができる。
【０１２５】
具体的には、携帯情報端末１００を回転する際の角速度の閾値が例えば、２０ｒａｄ／ｓ（つまり、角速度の設定が「中」）に設定している場合、使用者２００は、この角速度より速く回転させれば、上述した回転角度に基づく回転方向を確定することができる。
【０１２６】
一方で、使用者２００は、携帯情報端末１００を回転する際の角速度として、設定された角速度より遅い角速度で回転させた場合、上述した回転角度に基づく回転方向は確定せずに、認証開始情報や認証動作情報としては認識されない。その場合、携帯情報端末１００は、認証情報が登録認証情報と一致しない旨の判定をする。
【０１２７】
使用者２００は、携帯情報端末１００を回転する際に、続けて同じ回転方向に回転する場合、検出結果解析部１０４において認識され得る回転角度と角速度で続けて回転させることができる。
【０１２８】
しかし、使用者２００は、最初の回転を開始した角度へ、設定された角速度より遅い角速度で、ゆっくり戻し、続く回転操作を、設定された角速度より速く回転させることにより、続けて同じ回転方向に回転させることができる。
【０１２９】
次に図７を用いて、認証情報データベース１０７に登録されるデータを説明する。図７は、第２の実施形態に係る携帯情報端末１００において、使用者２００を認証する際の登録認証開始情報と登録認証動作情報との関係を概念的に例示する図である。
【０１３０】
図７に示すデータ（テーブル）は、登録認証開始情報と登録認証動作情報とが関連付けられた状態で認証情報データベース１０７に格納されている。
【０１３１】
上述したように、認証処理部１０５は、回転操作に伴う認証開始情報と、その認証開始情報と比較する登録認証開始情報とが一致した場合に、その後に続く携帯情報端末１００を認証するための認証動作情報の範囲を特定し、その認証動作情報を認証情報データベース１０７に登録されている登録認証動作情報と比較し、その比較結果が一致するか否かによって認証に成功したか失敗したかを判定する。
【０１３２】
そして、登録認証開始情報は、図７に示すように、右水平、つまり＋Ｘ軸に向って右回転を１回行なった後、左水平、つまり＋Ｘ軸に向って左回転を一回行うことを示している。
【０１３３】
使用者２００は、ボタン１０１を押してから上述した認証開始情報の回転操作を行うようにしてもよく、何れかのボタンを押しながら上述したような回転を行うようにしてもよい。
【０１３４】
また、認証処理部１０５は、認証開始情報を正しく認識した場合に、認識した旨の応答を、画面表示や、触力覚や、音や、光や、振動等、若しくはこれらを組み合わせて前述したような通知期間、間隔、回数による認証結果通知を使用者２００にフィードバックすることが可能である。
【０１３５】
次に、認証処理部１０５は、上述した認証開始情報を正しく認識できた場合は、使用者２００に対して認証開始情報における認証結果通知を上述した方法で通知し、更に認証動作情報を分析する。
【０１３６】
つまり、図７に示す登録認証動作情報に表すように、左水平（＋Ｚ軸に向って左回転を１回）、右水平（＋Ｚ軸に向って右回転を１回）、右水平（＋Ｚ軸に向って右回転を１回）、上（Ｙ軸に沿って上部前傾を１回）、下（Ｙ軸に沿って下部前傾を１回）の順の組合せであることを比較する。
【０１３７】
尚、使用者２００は、最後に、ボタン１０１を押下した際の、この認証操作を開始した姿勢である、「正面水平」に戻すようにしてもよい。
【０１３８】
そして、認証処理部１０５は、上述した認証動作情報を正しく認識した場合に、認識した旨の応答を、画面表示や、触力覚や、音や、光や、振動等、若しくはこれらを組み合わせて前述したような通知期間、間隔、回数による認証結果通知を使用者２００にフィードバックする（提供する）ことが可能である。
【０１３９】
尚、認証結果通知部１０８は、認証したことを通知する認証結果通知を、認証開始情報と認証動作情報とでそれぞれ出力してもよいし、認証動作情報が認証された際にのみ出力するようにしてもよい。
【０１４０】
次に、本実施形態における動作をシーケンス図を用いて更に詳しく説明する。図４は、第２の実施施形態に係る携帯情報端末１００における認証動作を説明するシーケンス図である。
【０１４１】
使用者２００は、ボタン１０１を押下する（ステップＳ＿Ａ１）ことにより、認証処理部１０５を起動する。
【０１４２】
尚、認証処理部１０５は、ボタン１０１が押下された後、所定の期間、回転操作が行われない無操作状態が続けば、認証情報を入力する際の操作開始の契機としては、一旦解除するようにしてもよい。
【０１４３】
その際の所定の期間とは、例えば３秒等である。つまり、使用者２００は、ボタン１０１を押下した後、例えば３秒以内に認証情報の入力を開始すればよい。
【０１４４】
また、センサ情報記録部１０３は、ボタン１０１が押下されてから所定の期間、回転操作が行われない無操作状態が続けば、それまでに入力した回転操作の操作内容は破棄されると共に、認証情報を入力する際の操作開始の契機としては、一旦解除されるようにしてもよい。上述した所定の期間は、例えば３秒等とすればよい。
【０１４５】
使用者２００は、認証操作を完了するには、再度ボタン１０１を押下して、回転操作を最初から行えばよい。尚、上述した無操作期間の秒数は一例であり、限定されない。
【０１４６】
センサ情報記録部１０３及び認証処理部１０５は、上述したような無操作状態を検出して認証開始前の状態にすることにより、認証操作を試行する他人により不意に認証されることを抑制することができる。
【０１４７】
起動された認証処理部１０５は、センサ情報記録部１０３に対し、ジャイロセンサ１０２（図４にて不図示）から検出される回転軸における回転方向と、その回転角度と、角速度の値（回転方向情報）、つまり操作内容を記録するよう指示する（ステップＳ＿Ａ２）。
【０１４８】
センサ情報記録部１０３は、認証処理部１０５からの指示に基づいて、ジャイロセンサ１０２から出力される回転方向情報の記録を開始する（ステップＳ＿Ａ３）。
【０１４９】
使用者２００は、携帯情報端末１００を回転操作する（ステップＳ＿Ａ４）。
【０１５０】
センサ情報記録部１０３は、使用者２００による携帯情報端末１００の回転操作が行われている間（ステップＳ＿Ａ５にてＮＯ）、ジャイロセンサ１０２から出力される回転方向情報を記録する。
【０１５１】
また、使用者２００による回転操作の停止は、無操作期間を設けることにより停止とすることができる。その際の停止時間は例えば３秒等である。
【０１５２】
また、認証処理部１０５は、使用者２００が例えばボタン１０１を再度押下した場合に、回転操作が停止したと認識するようにしてもよい。また、センサ情報記録部１０３は、例えば、回転操作を行う間、何れかのボタンを押下しておき、当該ボタンの押下を止めた場合に、回転操作が停止したと認識するようにすることも可能である。
【０１５３】
センサ情報記録部１０３は、使用者２００による携帯情報端末１００の回転操作が、無操作状態、や上述したようなボタン操作により停止したことを認識（ステップＳ＿Ａ５にてＹＥＳ）すると、ジャイロセンサ１０２から出力された回転操作内容である回転方向情報に関する値の記録を停止する（ステップＳ＿Ａ６）。
【０１５４】
そして、センサ情報記録部１０３は、記録された回転方向情報に関する値である回転方向と、回転角度と、角速度とを記録した情報を検出結果解析部１０４へ送信する（ステップＳ＿Ａ７）。
【０１５５】
そして、検出結果解析部１０４は、センサ情報記録部１０３より受信した回転操作内容に含まれる回転角度と角速度が表す値を、前述した回転角度と角速度の閾値（図４にて不図示）を用いて判定し、当該回転方向（右水平若しくは左水平、上若しくは下、右若しくは左）の組合せを表す認証情報に変換し、認証処理部１０５に送信する（ステップＳ＿Ａ８）。
【０１５６】
尚、センサ情報記録部１０３は、上述したように回転方向情報に含まれる角速度情報を用いて、使用者２００が意図しない回転操作（つまり、所定の角速度より遅い回転操作）を予め除外することができる。その場合、センサ情報記録部１０３は、ステップＳ＿Ａ７において、記録された回転方向情報に関する値のうち、回転方向と回転角度のみを検出結果解析部１０４へ送信すればよい。
【０１５７】
次に、認証処理部１０５は、検出結果解析部１０４より受信した認証開始情報を認証情報データベース１０７（図４にて不図示）に格納されている登録認証開始情報と比較して、認証開始情報を認証するとともに、認証開始情報に続く当該携帯情報端末１００を認証するために必要な、認証動作情報の対象範囲を特定する（ステップＳ＿Ａ９）。
【０１５８】
ここで、認証に必要な認証動作情報の対象範囲とは、認証開始情報を除いた認証情報である。
【０１５９】
そして、認証処理部１０５は、上述したステップＳ＿Ａ９にて特定された認証動作情報を認証情報データベース１０７に予め格納されている登録認証動作情報と比較することにより認証動作情報を判定する（ステップＳ＿１０）。
【０１６０】
認証処理部１０５は、ステップＳ＿Ａ１０における認証処理において、認証が成功（つまり、認証動作情報が一致）したならば（ステップＳ＿１１にてＹＥＳ）、認証結果通知部１０８により、認証が成功したことを表す認証成功通知を出力する（ステップＳ＿Ａ１２）。
【０１６１】
一方、認証処理部１０５は、ステップＳ＿Ａ１０における認証処理において、認証が失敗（つまり、認証動作情報が不一致）ならば（ステップＳ＿Ａ１１にてＮＯ）、認証結果通知部１０８により、認証が失敗したことを表す認証失敗通知を出力する（ステップＳ＿Ａ１３）。
【０１６２】
尚、認証処理部１０５は、ステップＳ＿Ａ１０における認証処理において、認証が成功（つまり、認証動作情報が一致）したならば（ステップＳ＿１１にてＹＥＳ）、図４には図示していない画面表示部１０６により、本人の認証に成功した後の画面を出力する。
【０１６３】
上述したように使用者２００は、認証結果通知部１０８における、例えば上述した触力覚の提示を受けて、認証に成功したことのみならず、認証に失敗した場合も、画面を見ずに知ることができるので、認証に失敗した際に、認証に成功するまで例えば、かばんや使用者２００の着衣のポケットの中等においても再試行することができる。
【０１６４】
本実施形態に係る携帯情報端末１００が含む認証制御機能によって、使用者２００は、以下の効果を享受することができる。
【０１６５】
第１の効果は、本実施形態に係る携帯情報端末１００は、使用者２００を安全に認証することができることである。
【０１６６】
その理由は、使用者２００は、携帯情報端末１００に使用者２００自身を認証する際の回転操作の動作が小さく、周囲の人から認証する行為を覗き見され難いためである。
【０１６７】
また、携帯情報端末１００は、かばんやポケットの中に所持されている状態においても認証を実行することができ、周囲の人に認証動作を覚えられずに済むからである。
【０１６８】
また、認証する際にボタンを押下することを認証の開始条件とし、且つ、認証開始情報を入力してから本来の認証動作情報を入力するので、他人によってなりすましがされ難く、また、携帯情報端末１００を持ち運ぶ際の振動等で誤って認証されないためである。
【０１６９】
第２の効果は、本実施形態に係る携帯情報端末１００は、使用者２００が認証操作を行った際の認証結果を、画面を見ずとも認識することができることである。
【０１７０】
その理由は、携帯情報端末１００は、使用者２００が認証した結果、認証に成功した場合のみならず、認証に失敗した場合も、例えば、表示画面における表示や、触力覚や、音や、光や、振動や，これらを組み合わせた通知方法で使用者２００に通知するためである。
【０１７１】
また、上述した通知方法は、認証に成功した場合と、認証に失敗した場合とで、別々の通知方法を採用することが可能であり、使用者２００は、画面表示を見ずとも明確に認証結果を認識することができ、必要により、画面表示を見ずに認証を再試行することができる。
【０１７２】
第３の効果は、本実施形態に係る携帯情報端末１００は、老若男女、誰でも利用することができる。
【０１７３】
その理由は、使用者２００は、携帯情報端末１００に使用者２００自身を認証させる際に、当該携帯情報端末１００を手に持ったまま回転する操作を行うだけでよく、大きな動作を伴わないためである。
【０１７４】
第４の効果は、本実施形態に係る携帯情報端末１００は、使用者２００が目視する表示画面や、操作する内容を覗き見しようとする第３者に対して牽制することができるので、安全な認証操作が実現できる。
【０１７５】
その理由は、使用者２００は、携帯情報端末１００に使用者２００自身を認証する際に、使用者２００が視線を携帯情報端末１００に集中させる必要がなく、周囲を見ながら認証操作を行うことができるためである。
【０１７６】
また、使用者２００は、自身が携行するかばん、或いは、自身の着衣の例えばポケットの中で認証操作を行うことができ、その間、周囲を見渡すことによって、他人からの覗き見等を防止することができる。
【０１７７】
第５の効果は、本実施形態に係る携帯情報端末１００は、ジャイロセンサ１０２が搭載された携帯情報端末であれば、簡単に実現することができる。
【０１７８】
その理由は、携帯情報端末１００は、ジャイロセンサ１０２が搭載された携帯情報端末におけるソフトウェアを改変するだけで実現することができるためである。
【０１７９】
尚、認証情報が不一致であることにより認証に失敗した場合は、使用者２００は、予め許容された上限回数まで試行することが可能であり、上限回数を越える場合は、認証することができないようにすることが可能である。
【０１８０】
その他の効果として、使用者２００は、例えば歩行中に当該携帯情報端末１００を使用する際に、第三者や障害物等との不意の接触を防止することができる。
【０１８１】
その理由は、当該携帯情報端末１００を操作する使用者２００は、回転操作するために表示画面を凝視する必要がないため視野が広がり周囲を見渡すことができるからである。
【０１８２】
つまり、本実施形態に係る携帯情報端末１００は、携帯電話端末等における所有者本人の確認を、第三者になりすましをされ難く、且つ、安全性、利便性に優れた方法で認証することができる。
【０１８３】
また、本実施形態は、第１の実施形態を基本としている。そのため、本実施形態は、第１の実施形態が有する効果を同様に有する。
【０１８４】
即ち、本実施形態によれば、端末等の使用者を安全、且つ、簡単に認証することができるという効果を享受できる。
【０１８５】
以上、本発明の第１の実施形態として、上述した構成および動作を例に説明したが、係る本実施形態を例として説明した本発明は、必ずしも係る構成や動作には限定されない。
【０１８６】
＜第３の実施形態＞
次に、第１及び第２の実施形態を基本とする、第３の実施形態について図８を参照して説明する。図８は、本実施形態に係る認証制御機能を有する携帯情報端末１００（図３）において、認証制御処理を行うシーケンス（図４）が動作する情報処理装置３００の構成を例示する図である。
【０１８７】
本実施形態に係る携帯情報端末は、第２の実施形態において説明した認証制御機能及びその処理を、情報処理装置３００が含むＣｅｎｔｒａｌ＿Ｐｒｏｃｃｅｓｓｉｎｇ＿Ｕｎｉｔ（以下、「ＣＰＵ」と略称する）３０１と、オペレーティングシステム（Ｏｐｅｒａｔｉｎｇ＿Ｓｙｓｔｅｍ：以下「ＯＳ」と略称する）及びメモリ３０２に展開されたアプリケーションソフトウェア（Ａｐｐｌｉｃａｔｉｏｎ＿Ｓｏｆｔｗａｒｅ：以下、「ＡＰ＿ＳＷ」と略称する）である認証制御処理プログラム３０３によって実現する。
【０１８８】
また、本携帯情報端末を実現する情報処理装置３００は、ボタン３１４と、ジャイロセンサ３１８と、センサ情報記録部３１９と、認証情報データベース３１３と、触力覚生成部３１７とを含む。
【０１８９】
ここで、ボタン３１４は、使用者２００（図８にて不図示）が本携帯情報端末を回転操作するのに応じて携帯情報端末１００に回転方向情報（操作内容）の記録開始を指示可能なボタンである。ボタン３１４は、ボタン以外のユーザインタフェースを用いることも可能である。
【０１９０】
ジャイロセンサ３１８は、本携帯情報端末が回転する際の回転方向情報である回転軸や、回転方向や、回転角度や、回転する際の角速度を出力すると共にセンサ情報記録部３１９に渡す。
【０１９１】
センサ情報記録部３１９は、ジャイロセンサ３１８からの回転方向情報を一時的に記録すると共に、記録した内容を後述する検出結果解析処理３２２に渡す。
【０１９２】
認証情報データベース３１３は、後述する認証制御処理３２３において認証処理を行う際に用いる登録認証開始情報と登録認証動作情報とを格納する。
【０１９３】
触力覚生成部３１７は、使用者２００が認証に成功、若しくは失敗した際に当該使用者２００に対して認証に成功、若しくは失敗した旨を体感として、異なる触力覚で通知することが可能な触力覚をそれぞれ生成する。これにより、使用者２００は、例えば手で触れている携帯情報端末から、臨場感があり、より明確に認証結果を認識することが可能である。
【０１９４】
また、携帯情報端末を実現する情報処理装置３００は、記憶媒体リーダライタ３０５と、タッチパネル３０９と、記憶媒体３１０と、Ｒｅａｄ＿Ｏｎｌｙ＿Ｍｅｍｏｒｙ（読み出し専用メモリ。以下、「ＲＯＭ」と略称する）であるＲＯＭ３１５と、Ｒｎｄｏｍ＿Ａｃｃｅｓｓ＿Ｍｅｍｏｒｙ（随時読み出し書き込みメモリ。以下、「ＲＡＭ」と略称する）であるＲＡＭ３１６とを含む。
【０１９５】
記憶媒体リーダライタ３０５は、記憶媒体３１０を用いてＡＰ＿ＳＷを本情報処理装置３００に供給する。
【０１９６】
タッチパネル３０９は、表示部と入力（操作）部とを兼ね、ボタンを画面に表示すると共に、使用者２００がそのボタンにタッチした際に、そのボタンに割り当てられた機能が当該携帯情報端末において実行される。
【０１９７】
タッチパネル３０９における表示部は、使用者２００が自身を認証する際に、ボタンを押下することを促すメッセージを表示することが可能である。
【０１９８】
また、タッチパネル３０９における表示部は、使用者２００が自身を認証する際の、ボタンのみを表示し、認証開始情報に対応する操作を入力することや、認証動作情報に対応する操作を入力することを促すような画面表示を表示しないようにすることも可能である。
【０１９９】
この場合、認証開始情報に対応する操作を入力した際や、認証動作情報に対応する操作を入力した際に、触力覚生成部３１７により触力覚を生成し、上述した回転操作による入力に対する応答を使用者に通知する。
【０２００】
ＲＯＭ３１５は、本情報処理装置３００が本情報処理装置３００自体を制御する際に参照する各種設定情報を格納する。
【０２０１】
ＲＡＭ３１６は、メモリ３０２においてプログラムが動作する際に用いる作業エリアである。
【０２０２】
また、携帯情報端末を実現する情報処理装置３００は、不揮発性記憶装置３０４と、データバス３０６と、通信インタフェース３０７と、入出力コントローラ３０８とを含む。
【０２０３】
不揮発性記憶装置３０４は、本情報処理装置３００自体を携帯情報端末として制御するプログラムを格納する。そして、ＣＰＵ３０１はプログラムを実行する際に、必要なプログラムをメモリ３０２に展開する。
【０２０４】
そして、第３の実施形態に係る携帯情報端末を実現する情報処理装置３００は、図３に示すブロック図における各機能と、図４に示すシーケンスにおける処理を、図８に示す情報処理装置３００が有するＣＰＵ３０１と、そのＣＰＵ３０１において動作するソフトウェアであるＯＳ並びに、メモリ３０２に展開したコンピュータ・プログラムである認証制御処理プログラム３０３とが協働することにより実現する。
【０２０５】
続いて、本情報処理装置３００による携帯情報端末における認証制御処理プログラム３０３について説明する。
【０２０６】
認証制御処理プログラム３０３は、認証処理機能として、センサ情報記録処理３２１と、検出結果解析処理３２２と、認証制御処理３２３とを含む。
【０２０７】
上述したセンサ情報記録処理３２１と、検出結果解析処理３２２と、認証制御処理３２３とは、第２の実施形態において、図３に示すブロック図及び図４に示すシーケンス図を用いて動作を説明したセンサ情報記録部１０３と、検出結果解析部１０４と、認証処理部１０５と順に対応する。尚、これらの処理における動作については第２の実施形態において説明済みであるので、本実施形態における具体的な説明は省略する。
【０２０８】
また、本実施形態に係る情報処理装置３００は、上述した携帯情報端末１００（図３）が有するＣＰＵ（図３にて不図示）における制御を表すシーケンス（図４）を、実現可能なコンピュータ・プログラム（認証制御処理プログラム３０３）として供給する。
【０２０９】
そして、そのコンピュータ・プログラムを情報処理装置３００による携帯情報端末の認証制御装置としての制御方法として用意した上記ＣＰＵ３０１及び、協働するＯＳ並びに認証制御処理プログラム３０３をメモリ３０２に読み出して実行することによって、第２の実施形態で説明した携帯情報端末１００の動作が達成される。
【０２１０】
また、携帯情報端末１００を実現する情報処理装置３００への上述したコンピュータ・プログラムの供給方法は、フロッピーディスク（登録商標）やＣＤ−ＲＯＭ（Ｃｏｍｐａｃｔ＿Ｄｉｓｃ−Ｒｅａｄ＿Ｏｎｌｙ＿Ｍｅｍｏｒｙ）等のディスクメディア、及びユニバーサルシリアルバス（Ｕｎｉｖｅｒｓａｌ＿Ｓｅｒｉａｌ＿Ｂｕｓ：以下「ＵＳＢ」と略称する）メモリ等のメモリメディア等の各種のコンピュータ読み取り可能な記憶媒体３１０を介して当該情報処理装置３００内へ、記憶媒体リーダライタ３０５を用いてインストールする方法を採用可能である。
【０２１１】
また、当該情報処理装置３００への上述したコンピュータ・プログラムの供給方法は、データバス３０６を介して外部装置からインストールする方法、或いは通信インタフェース３０７を用いてインターネット等の有線や無線等の通信可能な通信回線を介して外部装置よりダウンロードする方法等のように、現在では一般的な手順を採用することができる。
【０２１２】
そして、このような場合において、本実施形態は、係るコンピュータ・プログラムを構成するコード、或いは係るコードが記録されたところの、コンピュータ読み取り可能な記憶媒体３１０によって構成されると捉えることができる。
【０２１３】
また、係る汎用の情報処理装置３００を用いた携帯情報端末は、専用の装置によって実現してもよい。
【０２１４】
本実施形態は、第１及び第２の実施形態を基本としている。そのため、本実施形態は、第１及び第２の実施形態が有する効果を同様に有する。
【０２１５】
即ち、本実施形態によれば、端末等の使用者を安全、且つ、簡単に認証することができるという効果を享受できる。
【０２１６】
以上、本発明の第３の実施形態として、上述した構成および動作を例に説明したが、係る本実施形態を例として説明した本発明は、必ずしも係る構成や動作には限定されない。
【産業上の利用可能性】
【０２１７】
本発明は、上述した各実施形態には限定されず、例えば携帯電話端末や、携帯情報端末や、携帯音楽端末や、携帯映像端末等、手で持つことができる情報処理端末等に適用することが可能である。
【符号の説明】
【０２１８】
１    認証制御装置
２    認証制御部
３    回転方向情報
４    登録回転方向情報
５    認証結果通知
１００    携帯情報端末
１０１    ボタン
１０２    ジャイロセンサ
１０３    センサ情報記録部
１０４    検出結果解析部
１０５    認証処理部
１０６    画面表示部
１０７    認証情報データベース
１０８    認証結果通知部
２００    使用者
３００    情報処理装置
３０１    ＣＰＵ
３０２    メモリ
３０３    認証制御処理プログラム
３０４    不揮発性記憶装置
３０５    記憶媒体リーダライタ
３０６    データバス
３０７    通信インタフェース
３０８    入出力コントローラ
３０９    タッチパネル
３１０    記憶媒体
３１３    認証情報データベース
３１４    ボタン
３１５    ＲＯＭ
３１６    ＲＡＭ
３１７    触力覚生成部
３１８    ジャイロセンサ
３１９    センサ情報記録部
３２１    センサ情報記録処理
３２２    検出結果解析処理
３２３    認証制御処理
【図１】
2014102682.tif 000003
【図２】
2014102682.tif 000004
【図３】
2014102682.tif 000005
【図４】
2014102682.tif 000006
【図５】
2014102682.tif 000007
【図６】
2014102682.tif 000008
【図７】
2014102682.tif 000009
【図８】
2014102682.tif 000010